(57)【要約】【課題】高周波性能の劣化を防止することが可能な構造であるとともに、コスト低減を図ることも可能な構造のインナーターミナルを提供する。【解決手段】インピーダンス調整部３３は、ターミナル垂直部２８の中間に形成されている。インピーダンス調整部３３は、ターミナル垂直部２８の幅Ｗ方向に平行な軸を中心として湾曲するアーチ形状に形成されている。また、インピーダンス調整部３３は、アウタターミナル２３の後部シールド壁３６に近づくようにも形成されている。インピーダンス調整部３３は、この形状が湾曲するアーチ形状に形成されることから、徐々に後部シールド壁３６に近づくようになっており、緩やかなインピーダンスの変化をもって調整をすることができるようになっている。【選択図】図１
2009301717.tif 000002
【特許請求の範囲】
【請求項１】
回路基板上に設けられる回路基板用同軸コネクタを構成するインナーターミナルであって、外観略クランク形に曲がり、且つ相手インナーターミナルとの接続がなされる電気接触部と前記回路基板に接続される回路基板接続部との間に板形状の部分となる板形状部分を有するインナーターミナルにおいて、
前記板形状部分に、該板形状部分の幅方向に平行な軸を中心として湾曲するアーチ形状の、且つ前記回路基板用同軸コネクタを構成するアウタターミナルに近づくように湾曲するアーチ形状のインピーダンス調整部を形成する
ことを特徴とするインナーターミナル。
【請求項２】
請求項１に記載のインナーターミナルにおいて、
前記電気接触部及び前記回路基板接続部にそれぞれ略直交しこれらを連結するターミナル垂直部の全体を前記板形状部分によって形成し、且つ該板形状部分の中間又は全体を前記インピーダンス調整部として形成する
ことを特徴とするインナーターミナル。
【請求項３】
請求項１に記載のインナーターミナルにおいて、
前記回路基板接続部に略直交するように連続するターミナル垂直部と、該ターミナル垂直部に略直交する方向に延在する前記電気接触部との連結部分全体を前記板形状部分によって形成し、且つ該板形状部分の中間又は全体を前記インピーダンス調整部として形成する
ことを特徴とするインナーターミナル。
【請求項４】
請求項１ないし請求項３いずれか記載のインナーターミナルにおいて、
少なくとも前記電気接触部の形状を円筒丸ピン形状とする
ことを特徴とするインナーターミナル。
【発明の詳細な説明】
【技術分野】
【０００１】
本発明は、回路基板に設けられる回路基板用同軸コネクタを構成する外観略クランク形状のインナーターミナルに関する。
【背景技術】
【０００２】
高周波の電気信号を伝送するために高周波対応の同軸ケーブルが用いられている。この同軸ケーブルの端末には、プラグタイプの同軸コネクタが設けられている。プラグタイプの同軸コネクタは、回路基板に設けられるレセプタクルタイプの同軸コネクタ（回路基板用同軸コネクタ）と電気的に接続されるようになっている。
【０００３】
下記特許文献１に開示されたレセプタクルタイプの同軸コネクタは、回路基板上の信号パターンに半田付けされるインナーターミナルと、このインナーターミナルを収容する誘電体と、誘電体を覆うように設けられるアウターターミナルと、上記プラグタイプの同軸コネクタが嵌合するハウジングと、を備えて構成されている。レセプタクルタイプの同軸コネクタは、回路基板上に載置されるような取り付け状態の場合、図４（ａ）に示す如く、インナーターミナル１の形状が外観略クランク形に曲がるように形成されている。尚、下記特許文献２に開示されたインナーターミナルは本願出願人によるものである。
【特許文献１】特開２００２−３３１６１号公報
【特許文献２】特開２００７−１２２９００号公報
【発明の開示】
【発明が解決しようとする課題】
【０００４】
インナーターミナルに関し、上記とは異なる外観ストレート形状のインナーターミナルを用いる場合、この周囲全体をアウターターミナルによって覆い、この状態でハウジング内に設けることは構造上容易である。しかしながら、インナーターミナル１の形状が図４に示す如く外観略クランク形になると、これをアウターターミナル２によって覆うことはハウジング３の構造上困難となる部分４が出てきてしまう。従って、アウターターミナル２によって覆うことが困難な部分４においては、インピーダンスの不整合が起こり易くなってしまい、高周波性能が劣化してしまうという恐れを有している。
【０００５】
この他、インナーターミナル１に関し、相手インナーターミナルとの接続がなされる電気接触部５の形状が円筒丸ピン形状となるような場合、且つ、インナーターミナル１が外観略クランク形に形成される場合には、クランク形の形成が円筒丸ピン形状のままで９０度曲げ（図中の引用符号６の部分参照）を施すことにより行われることから、９０度曲げの部分６においてはインピーダンスが不整合になってしまい、高周波性能が劣化してしまうという恐れを有している。尚、円筒丸ピン形状のままでの９０度曲げを施すことはコスト高となってしまうという問題点を有している。
【０００６】
本発明は、上記した事情に鑑みてなされたもので、高周波性能の劣化を防止することが可能な構造であるとともに、コスト低減を図ることも可能な構造のインナーターミナルを提供することを課題とする。
【課題を解決するための手段】
【０００７】
上記課題を解決するためになされた請求項１記載の本発明のインナーターミナルは、回路基板上に設けられる回路基板用同軸コネクタを構成するインナーターミナルであって、外観略クランク形に曲がり、且つ相手インナーターミナルとの接続がなされる電気接触部と前記回路基板に接続される回路基板接続部との間に板形状の部分となる板形状部分を有するインナーターミナルにおいて、前記板形状部分に、該板形状部分の幅方向に平行な軸を中心として湾曲するアーチ形状の、且つ前記回路基板用同軸コネクタを構成するアウタターミナルに近づくように湾曲するアーチ形状のインピーダンス調整部を形成することを特徴としている。
【０００８】
このような特徴を有する本発明によれば、アウターターミナルに近づくインピーダンス調整部によってインピーダンスの調整が可能になる。インピーダンス調整部は、この形状が湾曲するアーチ形状であることから、徐々にアウターターミナルに近づくようになり、緩やかなインピーダンスの変化をもって調整をすることが可能になる。
【０００９】
請求項２記載の本発明のインナーターミナルは、請求項１に記載のインナーターミナルにおいて、前記電気接触部及び前記回路基板接続部にそれぞれ略直交しこれらを連結するターミナル垂直部の全体を前記板形状部分によって形成し、且つ該板形状部分の中間又は全体を前記インピーダンス調整部として形成することを特徴としている。
【００１０】
このような特徴を有する本発明によれば、アウターターミナルによって覆うことが困難な部分のインピーダンスの調整が可能になる。また、本発明によれば、板形状部分によって９０度曲げを施すことがし易い形状にもなる。
【００１１】
請求項３記載の本発明のインナーターミナルは、請求項１に記載のインナーターミナルにおいて、前記回路基板接続部に略直交するように連続するターミナル垂直部と、該ターミナル垂直部に略直交する方向に延在する前記電気接触部との連結部分全体を前記板形状部分によって形成し、且つ該板形状部分の中間又は全体を前記インピーダンス調整部として形成することを特徴としている。
【００１２】
このような特徴を有する本発明によれば、９０度曲げを施す部分のインピーダンスの調整が可能になる。また、本発明によれば、板形状部分によって９０度曲げを施すことがし易い形状にもなる。
【００１３】
請求項４記載の本発明のインナーターミナルは、請求項１ないし請求項３いずれか記載のインナーターミナルにおいて、少なくとも前記電気接触部の形状を円筒丸ピン形状とすることを特徴としている。
【００１４】
このような特徴を有する本発明によれば、電気接触部などの形状が円筒丸ピン形状となるインナーターミナルのインピーダンスの調整に好適な構造となる。
【発明の効果】
【００１５】
請求項１に記載された本発明によれば、アウターターミナルに徐々に近づくインピーダンス調整部を有する構造にすることにより、良好にインピーダンスの調整をすることができるという効果を奏する。従って、高周波性能の劣化を防止することが可能な構造を有するインナーターミナルを提供することができるという効果を奏する。
【００１６】
請求項２に記載された本発明によれば、アウターターミナルによって覆うことが困難な部分であっても良好にインピーダンスの調整をすることができるという効果を奏する。また、本発明によれば、９０度曲げを施すことがし易い構造になっており、コスト低減を図ることができるという効果も奏する。
【００１７】
請求項３に記載された本発明によれば、従来、９０度曲げを施すことによりインピーダンスが不整合になってしまう可能性のある部分に対し、インピーダンス調整部の形成によって、インピーダンスの調整を良好にすることができるという効果を奏する。また、本発明によれば、９０度曲げを施すことがし易い構造になっており、コスト低減を図ることができるという効果も奏する。
【００１８】
請求項４に記載された本発明によれば、円筒丸ピン形状の電気接触部を有するインナーターミナルに適応することができるという効果を奏する。
【発明を実施するための最良の形態】
【００１９】
以下、図面を参照しながら説明する。図１は本発明のインナーターミナルの一実施の形態を示す回路基板用同軸コネクタの断面図である。また、図２は本発明のインナーターミナルの他の一実施の形態を示す回路基板用同軸コネクタの断面図である。さらに、図３はインナーターミナルの斜視図であり、図３（ａ）は図１のインナーターミナルの斜視図、図３（ｂ）は図２のインナーターミナルの斜視図である。
【００２０】
図１において、図示しない回路基板上に設けられる回路基板用同軸コネクタ２１は、導電性を有する本発明のインナーターミナル２２と、同じく導電性を有するアウターターミナル２３と、これらの間に介在する絶縁性の誘電体２４と、図示しない相手同軸コネクタが嵌合する絶縁性のハウジング２５とを備えて構成されている。
【００２１】
図１及び図３（ａ）において、インナーターミナル２２は、外観略クランク形に曲がる形状に形成されている。具体的には、インナーターミナル２２は、図示しない相手インナーターミナルとの接続がなされる電気接触部２６と、上記図示しない回路基板に接続される回路基板接続部２７と、電気接触部２６及び回路基板接続部２７にそれぞれ略直交してこれらを連結するターミナル垂直部２８と、を有して外観略クランク形に曲がる形状に形成されている。
【００２２】
電気接触部２６は、所定の長さ及び直径を有する円筒丸ピン形状に形成されている。電気接触部２６は、誘電体２４を貫通するような状態でこの誘電体２４に保持されている。誘電体２４の外側には、アウターターミナル２３の略コの字状となるシールド部２９が設けられている。電気接触部２６は、シールド部２９によって覆われている。
【００２３】
回路基板接続部２７は、上記図示しない回路基板上の信号パターンに半田付けされる部分であって、電気接触部２６と平行な方向にのびるリード状の形状に形成されている。このような回路基板接続部２７の両側には、アウターターミナル２３のグランド部３０が配置されている。グランド部３０は、回路基板接続部２７に対して所定の間隔を有するように配置されている。グランド部３０は、図示しない回路基板上のグランドに半田付けされるようになっている。
【００２４】
ターミナル垂直部２８は、このほぼ全体が所定の幅Ｗを有する板形状の部分として、すなわち板形状部分として形成されている。ターミナル垂直部２８は、電気接触部２６側から順に、一端側連結部３１、９０度曲げ部３２、インピーダンス調整部３３、及び他端側連結部３４を有して図示の形状に形成されている。ターミナル垂直部２８は、単純な曲げを施すことにより形成されている。尚、ターミナル垂直部２８は、曲げを施す前、帯状の形状に形成されている。本形態において特に限定するものでないが、他端側連結部３４のみ回路基板接続部２７の形状に合わせてリード状に形成されている（言い換えれば、他端側連結部３４以外のターミナル垂直部２８は板形状になっている）。
【００２５】
もう少し具体的に説明すると、ターミナル垂直部２８は、板形状であって曲げが容易である点と、インピーダンス調整部３３を有する点とが特徴になっている。インピーダンス調整部３３は、アウターターミナル２３によってインナーターミナル２２を覆うことが困難な部分３５のインピーダンスの調整をするために形成されている。
【００２６】
インピーダンス調整部３３は、本形態において、ターミナル垂直部２８のほぼ中間に形成されている（ターミナル垂直部２８の全体にわたって形成してもよいものとする）。インピーダンス調整部３３は、ターミナル垂直部２８の（板形状部分の）幅Ｗ方向に平行な軸を中心として湾曲するアーチ形状に形成されている。また、インピーダンス調整部３３は、アウタターミナル２３の後部シールド壁３６に近づくようにも形成されている。インピーダンス調整部３３は、この形状が湾曲するアーチ形状に形成されることから、徐々に後部シールド壁３６に近づくようになっており、緩やかなインピーダンスの変化をもって調整をすることができるようになっている（インピーダンスは、インピーダンス調整部３３を後部シールド壁３６に近づけるほど低くなる。本形態においては、最も高周波性能が良くなるようにシミュレーションや試作品を用いてインピーダンス調整部３３の幅や曲率等が決定されている）。
【００２７】
尚、インピーダンス調整部３３は、この形状が上記の湾曲するアーチ形状に限定されないものとする。例えば、図示のような湾曲形状でなく、多段階に湾曲するアーチ形状であってもよいものとする。この他、インピーダンス調整部３３は、門形（コ字形）のアーチ形状であってもよいものとする（但し、門形の場合は、緩やかなインピーダンスの変化をもって調整をするという上記効果は望めないものとする）。
【００２８】
本形態において、アウターターミナル２３、誘電体２４、及びハウジング２５は公知のものと基本的に同じであり、機能等の説明は省略するものとする。
【００２９】
以上、図１及び図３（ａ）を参照しながら説明してきたように、本発明によれば、アウターターミナル２３の後部シールド壁３６に徐々に近づくインピーダンス調整部３３を有する構造のインナーターミナル２２にすることにより、上記の困難な部分３５のインピーダンスの調整をすることができるという効果を奏する。従って、インナーターミナル２２は、従来のインナーターミナル１（図４参照）と比べて、高周波性能の劣化が起こり難い構造を有するという効果を奏する（回路基板用同軸コネクタ２１は、高周波性能が良好なものとなる）。
【００３０】
また、本発明によれば、インナーターミナル２２は、従来のインナーターミナル１（図４参照）と比べて、９０度曲げを施すことがし易い構造になっている。従って、コスト低減を図ることができるという効果を奏する。
【００３１】
次に、図２の回路基板用同軸コネクタの断面図と、図３（ｂ）のインナーターミナルの斜視図を参照しながら、本発明のインナーターミナルの他の一実施の形態を説明する。尚、上記形態と基本的に同じ構成部材や部分には同一の符号を付すものとする。
【００３２】
図２において、図示しない回路基板上に設けられる回路基板用同軸コネクタ４１は、導電性を有する本発明のインナーターミナル４２と、同じく導電性を有するアウターターミナル２３と、これらの間に介在する絶縁性の誘電体２４と、図示しない相手同軸コネクタが嵌合する絶縁性のハウジング２５とを備えて構成されている。
【００３３】
図２及び図３（ｂ）において、インナーターミナル４２は、外観略クランク形に曲がる形状に形成されている。具体的には、インナーターミナル４２は、電気接触部２６と、回路基板接続部２７と、ターミナル垂直部４３と、９０度曲げ部４４と、インピーダンス調整部４５と、を有して外観略クランク形に曲がる形状に形成されている。
【００３４】
ターミナル垂直部４３は、電気接触部２６と同様に所定の長さ及び直径を有する円筒丸ピン形状に形成されている。このようなターミナル垂直部４３は、この一端が９０度曲げ部４４に連成されている。また、他端が回路基板接続部２７に連成されている。
【００３５】
９０度曲げ部４４は、電気接触部２６とターミナル垂直部４３とを連結する部分として形成されている。また、９０度曲げ部４４は、インナーターミナル４２の製造過程で９０度曲げが施される部分として形成されている。９０度曲げ部４４は、この全体が所定の幅Ｗを有する板形状の部分として、すなわち板形状部分として形成されている。また、９０度曲げ部４４は、この全体がインピーダンス調整部４５となるように形成されている。
【００３６】
もう少し具体的に説明すると、９０度曲げ部４４は、板形状であって曲げを施すことが容易である点と、インピーダンス調整部４５を有する点とが特徴になっている。インピーダンス調整部４５は、９０度曲げを施す部分のインピーダンスの調整をするために形成されている。
【００３７】
インピーダンス調整部４５は、９０度曲げ部４４の（板形状部分の）幅Ｗ方向に平行な軸を中心として湾曲するアーチ形状に形成されている。また、インピーダンス調整部４５は、アウタターミナル２３の後部シールド壁３６やシールド部２９に近づくようにも形成されている。インピーダンス調整部４５は、この形状が湾曲するアーチ形状に形成されることから、徐々に後部シールド壁３６やシールド部２９に近づくようになっており、緩やかなインピーダンスの変化をもって調整をすることができるようになっている（インピーダンスは、インピーダンス調整部４５を後部シールド壁３６やシールド部２９に近づけるほど低くなる。本形態においては、上記インピーダンス調整部３３と同様に幅や曲率等が決定されている）。
【００３８】
以上、図２及び図３（ｂ）を参照しながら説明してきたように、本発明によれば、アウターターミナル２３の後部シールド壁３６やシールド部２９に徐々に近づくインピーダンス調整部４５を有する構造のインナーターミナル４２にすることにより、９０度曲げ部４４のインピーダンスの調整をすることができるという効果を奏する。従って、インナーターミナル４２は、従来のインナーターミナル１（図４参照）に比べて高周波性能の劣化が起こり難い構造を有するという効果を奏する（回路基板用同軸コネクタ４１は、高周波性能が良好なものとなる）。
【００３９】
また、本発明によれば、インナーターミナル４２は、従来のインナーターミナル１（図４参照）と比べて、９０度曲げを施すことがし易い構造になっている。従って、コスト低減を図ることができるという効果を奏する。
【００４０】
この他、本発明は本発明の主旨を変えない範囲で種々変更実施可能なことは勿論である。一例を挙げるとすると、インピーダンス調整部４５及び３３を組み合わせてなる構造のインナーターミナル（図示省略）であってもよいものとする。
【図面の簡単な説明】
【００４１】
【図１】本発明のインナーターミナルの一実施の形態を示す回路基板用同軸コネクタの断面図である。
【図２】本発明のインナーターミナルの他の一実施の形態を示す回路基板用同軸コネクタの断面図である。
【図３】インナーターミナルの斜視図であり、（ａ）は図１のインナーターミナルの斜視図、（ｂ）は図２のインナーターミナルの斜視図である。
【図４】（ａ）は従来例のインナーターミナルの斜視図、（ｂ）は（ａ）のインナーターミナルを備えた従来の回路基板用同軸コネクタの断面図である。
【符号の説明】
【００４２】
２１  回路基板用同軸コネクタ
２２  インナーターミナル
２３  アウターターミナル
２４  誘電体
２５  ハウジング
２６  電気接触部
２７  回路基板接続部
２８  ターミナル垂直部（板形状部分）
２９  シールド部
３０  グランド部
３１  一端側連結部
３２  ９０度曲げ部
３３  インピーダンス調整部
３４  他端側連結部
３５  困難な部分（インナーターミナルを覆うことが困難な部分）
３６  後部シールド壁
４１  回路基板用同軸コネクタ
４２  インナーターミナル
４３  ターミナル垂直部
４４  ９０度曲げ部（板形状部分）
４５  インピーダンス調整部
【図１】
2009301717.tif 000003
【図２】
2009301717.tif 000004
【図３】
2009301717.tif 000005
【図４】
2009301717.tif 000006